【手続補正書】
【提出日】平成24年11月14日(2012.11.14)
【手続補正１】
【補正対象書類名】特許請求の範囲
【補正対象項目名】全文
【補正方法】変更
【補正の内容】
【特許請求の範囲】
【請求項１】
光源からの光を測定対象に照射する照射手段と、
前記照射手段の中心軸とは異なる領域を介して前記測定対象に照射した光による該測定対象からの戻り光に生じる該測定対象の収差を補正する収差補正手段と、
前記収差補正手段で収差を補正された光を前記照射手段の中心軸を介して前記測定対象に照射した光による該測定対象からの戻り光に基づいて該測定対象の画像を取得する画像取得手段と、
を有することを特徴とする撮像装置。
【請求項２】
前記光源からの光の照射位置を前記照射手段の中心軸とは異なる領域から中心軸を含む領域に切り替える切り替え手段を有することを特徴とする請求項１に記載の撮像装置。
【請求項３】
前記光源からの光を走査する走査手段を有し、
前記切り替え手段が、前記光源からの光を前記照射手段の中心軸とは異なる領域に照射するように前記走査手段を制御することを特徴とする請求項２に記載の撮像装置。
【請求項４】
前記光源からの光を走査する走査手段と、
前記走査手段と前記照射手段との間に挿脱する光学手段と、を有し、
前記切り替え手段が、前記光源からの光を前記照射手段の中心軸とは異なる領域に照射するように前記光学手段を挿脱することを特徴とする請求項２に記載の撮像装置。
【請求項５】
前記測定対象の収差を測定する収差測定手段を有し、
前記収差測定手段の測定結果に基づいて前記収差補正手段を制御することを特徴とする請求項１乃至４のいずれか１項に記載の撮像装置。
【請求項６】
前記測定対象が、被検眼であり、
前記収差補正手段が、前記被検眼の前眼部に対して光学的に共役な位置に配置されることを特徴とする請求項１乃至５のいずれか１項に記載の撮像装置。
【請求項７】
前記光源からの光を前記照射手段に入射される光と参照光とに分離する分離手段を有し、
前記画像取得手段が、前記照射手段で照射した光による前記測定対象からの戻り光と前記参照光とが干渉した干渉光に基づいて該測定対象の断層画像を取得することを特徴とする請求項１乃至６のいずれか１項に記載の撮像装置。
【請求項８】
走査手段を介して測定光を照射した被検眼からの戻り光に基づいて、前記被検眼の画像を取得する画像取得手段と、
前記画像取得手段により前記被検眼の画像を取得している際に、前記走査手段により走査された前記測定光が接眼レンズの中央部以外の領域を通る場合に、前記被検眼により生じる収差を補正する収差補正手段と、
を有することを特徴とする撮像装置。
【請求項９】
前記走査手段により走査された前記測定光が前記接眼レンズの中央部を通る場合には前記収差の補正を止めるように、前記収差補正手段を制御する制御手段を有することを特徴とする請求項８に記載の撮像装置。
【請求項１０】
前記画像取得手段により前記被検眼の画像を取得している際に、前記走査手段により走査された前記測定光が接眼レンズの中央部以外の領域を通る場合に、前記被検眼により生じる収差を測定する収差測定手段と、
前記走査手段により走査された前記測定光が前記接眼レンズの中央部を通る場合には、前記収差の測定を止めるように、前記収差測定手段を制御する制御手段と、
を有することを特徴とする請求項８に記載の撮像装置。
【請求項１１】
接眼レンズを介した測定光で被検眼を走査し、その反射もしくは散乱光を受光して該被検眼の光画像を撮像する際に、前記被検眼で発生する収差を補償光学系で補正する撮像装置であって、
前記被検眼の光画像を撮像する際に、該被検眼を測定光で走査する走査手段と、
前記収差を測定する収差測定手段と、
前記測定した収差に基づいて前記被検眼によって生じる収差を補正する補正手段と、を備え、
前記収差測定手段で収差を測定する際に、前記接眼レンズの中心軸を外した領域を介し、前記測定光を前記被検眼に照射して前記収差を測定し、
前記被検眼の前記光画像を撮像する際に、前記接眼レンズの中心軸を含む領域を介した前記測定光を前記走査手段により前記被検眼に走査し、該被検眼の光画像を撮像することを特徴とする撮像装置。
【請求項１２】
光源からの光を照射手段の中心軸とは異なる領域を介して測定対象に照射する第１の照射工程と、
前記第１の照射工程で照射した光による前記測定対象からの戻り光に生じる該測定対象の収差を収差補正手段で補正する収差補正工程と、
前記収差補正工程で収差を補正された光を前記照射手段の中心軸を介して前記測定対象に照射する第２の照射工程と、
前記第２の照射工程で照射した光による前記測定対象からの戻り光に基づいて該測定対象の画像を取得する画像取得工程と、
を含むことを特徴とする撮像方法。
【請求項１３】
前記第２の照射工程の前に、前記光源からの光の照射位置を前記照射手段の中心軸とは異なる領域から中心軸を含む領域に切り替える工程を有することを特徴とする請求項１２に記載の撮像方法。
【請求項１４】
接眼レンズを介した測定光で被検眼を走査し、その反射もしくは散乱光を受光して該被検眼の光画像を撮像する際に、前記被検眼で発生する収差を補償光学系で補正する撮像方法であって、
前記被検眼の波面収差を測定するための測定光を、前記接眼レンズの中心軸を外した領域を介し、前記被検眼に照射して前記波面収差を測定する波面収差測定工程と、
前記接眼レンズを介した測定光で前記被検眼を照射して光画像を撮像する際に、前記接眼レンズの中心軸を含む領域を介した前記測定光で前記被検眼を走査して前記被検眼の光画像を撮像する光画像撮像工程と、
を有することを特徴とする撮像方法。
【請求項１５】
前記波面収差を測定するための測定光の前記被検眼への照射が、前記測定光を走査する走査手段を用いて、該走査手段を制御することにより行われることを特徴とする請求項１４に記載の撮像方法。
【請求項１６】
前記走査手段の制御が、前記測定光の光軸を前記接眼レンズの中心軸外に移動させるように制御することにより行われることを特徴とする請求項１５に記載の撮像方法。
【請求項１７】
前記測定光を走査する走査手段と前記接眼レンズとの間に、前記測定光を前記接眼レンズの中心軸からシフトさせる光学要素が挿脱可能とされ、
前記波面収差測定工程での波面収差測定に際し、前記走査手段と前記接眼レンズとの間に前記光学要素を挿入し、
前記光画像撮像工程での測定に際し、前記走査手段と前記接眼レンズとの間の前記光学要素を脱抜する請求項１４に記載の撮像方法。
【請求項１８】
前記波面収差測定工程と、前記光画像撮像工程とが同時に行われ、
前記波面収差測定工程における前記測定光による測定が、前記接眼レンズの中心軸以外の領域を走査する場合に行われることを特徴とする請求項１４に記載の撮像方法。
【請求項１９】
前記波面収差測定工程での波面収差の測定が、シャックハルトマンセンサーを用いて行われ、前記波面収差測定工程での波面収差の測定結果に基づいて、可変形状ミラーを変形させることによって前記収差の補正が行われることを特徴とする請求項１４から１８のいずれか１項に記載の撮像方法。
【請求項２０】
前記光画像を撮像するための測定光と前記波面収差を測定するための測定光が、同一の光源あるいは別の光源から発せられることを特徴とする請求項１４から１９のいずれか１項に記載の撮像方法。
【請求項２１】
請求項１２から２０のいずれか１項に記載の撮像方法の各工程をコンピュータに実行させることを特徴とするプログラム。
【手続補正２】
【補正対象書類名】明細書
【補正対象項目名】発明の名称
【補正方法】変更
【補正の内容】
【発明の名称】撮像装置および撮像方法
【手続補正３】
【補正対象書類名】明細書
【補正対象項目名】０００１
【補正方法】変更
【補正の内容】
【０００１】
本発明は、撮像装置および撮像方法に関し、特に眼科診療等に用いられる撮像装置および撮像方法に関するものである。
【手続補正４】
【補正対象書類名】明細書
【補正対象項目名】０００７
【補正方法】変更
【補正の内容】
【０００７】
本発明は、上記課題に鑑み、補償光学系を用いた光画像の撮像において、被検査物の光画像を取得するときにはレンズの中心部分を利用する光学系を用いても、安定した波面収差の測定が可能となる撮像装置および撮像方法の提供を目的とする。
【手続補正５】
【補正対象書類名】明細書
【補正対象項目名】０００８
【補正方法】変更
【補正の内容】
【０００８】
本発明は、つぎのように構成した撮像装置および撮像方法を提供するものである。
本発明の撮像装置は、光源からの光を測定対象に照射する照射手段と、
前記照射手段の中心軸とは異なる領域を介して前記測定対象に照射した光による該測定対象からの戻り光に生じる該測定対象の収差を補正する収差補正手段と、
前記収差補正手段で収差を補正された光を前記照射手段の中心軸を介して前記測定対象に照射した光による該測定対象からの戻り光に基づいて該測定対象の画像を取得する画像取得手段と、
を有することを特徴とする。
また、本発明の撮像装置は、接眼レンズを介した測定光で被検眼を走査し、その反射もしくは散乱光を受光して該被検眼の光画像を撮像する際に、前記被検眼で発生する収差を補償光学系で補正する撮像装置であって、
前記被検眼の光画像を撮像する際に、該被検眼を測定光で走査する走査手段と、
前記収差を測定する収差測定手段と、
前記測定した収差に基づいて前記被検眼によって生じる収差を補正する補正手段と、を備え、
前記収差測定手段で収差を測定する際に、前記接眼レンズの中心軸を外した領域を介し、前記測定光を前記被検眼に照射して前記収差を測定し、
前記被検眼の前記光画像を撮像する際に、前記接眼レンズの中心軸を含む領域を介した前記測定光を前記走査手段により前記被検眼に走査し、該被検眼の光画像を撮像することを特徴とする。
また、本発明の撮像方法は、
光源からの光を照射手段の中心軸とは異なる領域を介して測定対象に照射する第１の照射工程と、
前記第１の照射工程で照射した光による前記測定対象からの戻り光に生じる該測定対象の収差を収差補正手段で補正する収差補正工程と、
前記収差補正工程で収差を補正された光を前記照射手段の中心軸を介して前記測定対象に照射する第２の照射工程と、
前記第２の照射工程で照射した光による前記測定対象からの戻り光に基づいて該測定対象の画像を取得する画像取得工程と、
を含むことを特徴とする。
また、本発明の撮像方法は、接眼レンズを介した測定光で被検眼を走査し、その反射もしくは散乱光を受光して該被検眼の光画像を撮像する際に、前記被検眼で発生する収差を補償光学系で補正する撮像方法であって、
前記被検眼の波面収差を測定するための測定光を、前記接眼レンズの中心軸を外した領域を介し、前記被検眼に照射して前記波面収差を測定する波面収差測定工程と、
前記接眼レンズを介した測定光で前記被検眼を照射して光画像を撮像する際に、前記接眼レンズの中心軸を含む領域を介した前記測定光で前記被検眼を走査して前記被検眼の光画像を撮像する光画像撮像工程と、
を有することを特徴とする。
【手続補正６】
【補正対象書類名】明細書
【補正対象項目名】０００９
【補正方法】変更
【補正の内容】
【０００９】
本発明によれば、補償光学系を用いた光画像の撮像において、被検査物の光画像を取得するときにはレンズの中心部分を利用する光学系を用いても、安定した波面収差の測定が可能となる撮像装置および撮像方法を実現することができる。